(57)【要約】【課題】  外部機器との間での磁気的な作用を発生させずに、ユニット間の多様な位置関係状態を検出できるようにすること。【解決手段】  上側ユニット１００には１つの受発光素子２０３を設け、下側ユニット２００には所定の反射効率を有する複数の反射部１０３ａ〜１０３ｆを設け、上側ユニット１００と下側ユニット２００の相対的な位置関係状態に応じて受発光素子２０３と反射部１０３ａ〜１０３ｆの位置関係を変化させ、状態検出部が、受発光素子２０３が反射部１０３ａ〜１０３ｆを検出して得られる検出信号に基づいて、上側ユニット１００と下側ユニット２００の位置関係状態を検出する。【選択図】  図１
2007235722.tif 000002
【特許請求の範囲】
【請求項１】
第１ユニットと、第２ユニットとを有し、前記第１ユニットと第２ユニットが相対的に、開いた状態、所定方向に回動した状態及び閉じた状態の複数の位置関係状態をとるように構成された折り畳み型携帯電子機器において、
前記第１ユニットと第２ユニットの一方のユニットに配設された１つの光学式センサと、
他方のユニットに配設され、前記第１ユニットと第２ユニットの相対的な位置関係状態に応じて前記光学式センサとの位置関係が変化する複数の被検出部と、
前記光学式センサが前記被検出部を検出して得られる検出信号に基づいて、前記第１ユニットと第２ユニットの前記位置関係状態を検出する状態検出手段とを備えることを特徴とする折り畳み型携帯電子機器。
【請求項２】
前記複数の被検出部には、開閉状態検出用の被検出部と、回動状態検出用の被検出部が含まれて成ることを特徴とする請求項１記載の折り畳み型携帯電子機器。
【請求項３】
前記複数の被検出部には、更に、回動方向検出用の被検出部が含まれて成ることを特徴とする請求項２記載の折り畳み型携帯電子機器。
【請求項４】
前記光学式センサは反射型フォトセンサによって構成されると共に、前記各被検出部は光を反射する反射部によって構成されて成り、
前記複数の反射部には、反射効率が異なる複数の反射部が含まれて成ることを特徴とする請求項１乃至３のいずれか一に記載の折り畳み型携帯電子機器。
【請求項５】
前記第１ユニット及び第２ユニットを相対的に開閉自在及び回動自在に保持するヒンジ機構を有し、
前記複数の反射部には、前記ヒンジ機構を中心として環状に順次配設された、第１反射効率の第１反射部、第２反射効率の第２反射部、第２反射効率の第３反射部、第１反射効率の第４反射部、第３反射効率の第５反射部、第３反射効率の第６反射部が含まれて成ることを特徴とする請求項４記載の折り畳み型携帯電子機器。
【請求項６】
前記位置関係状態状態は、前記第１ユニットと前記第２ユニットが相対的に、開いた第１状態、開いて時計方向に所定角度回動した第２状態、開いて反時計方向に所定角度回動した第３状態、前記第１ユニットの内面側を外側に向けて閉じた第４状態、及び、前記第１ユニットの内面側を内側に向けて閉じた第５状態のいずれかであることを特徴とする請求項１乃至５のいずれか一に記載の折り畳み型携帯電子機器。
【請求項７】
前記状態検出手段は、前記光学式センサが、最初に前記第１反射効率の被検出部を検出している状態になっているときは前記第１状態、前記第１状態の後に前記第２反射効率の被検出部を検出している状態になっているときは前記第２状態、前記第１状態の後に前記第３反射効率の被検出部を検出している状態になっているときは前記第３状態、前記第２状態から前記第２反射効率の被検出部を検出した後に前記第１反射効率の被検出部を検出している状態になっているとき及び前記第３状態から前記第３反射効率の被検出部を検出した後に前記第１反射効率の被検出部を検出している状態になっているときには前記第４状態、前記第２状態及び第３状態から前記第２反射効率の被検出部と前記第３反射効率の被検出部のいずれも検出せずに前記第１反射効率の被検出部を検出している状態になっているときには前記第１状態にあると検出することを特徴とする請求項６記載の折り畳み型携帯電子機器。
【請求項８】
前記第１ユニットの内面側に設けられた表示部と、前記第２ユニットの内面側に設けられた操作部と、前記状態検出手段が検出した前記第１ユニットと第２ユニットの相対的な回動状態に基づいて、前記表示部に表示する画像の向きを変える制御手段とを備えて成ることをことを特徴とする請求項１乃至７のいずれか一に記載の折り畳み型携帯電子機器。
【発明の詳細な説明】
【技術分野】
【０００１】
本発明は、携帯電話装置、ＰＨＳ（Personal Handyphone System）、電子メール送信機能を備えるＰＤＡ（携帯情報端末：Personal Digital Assistant）等の折り畳み型携帯電子機器に関し、特に、複数のユニットとを有し、前記各ユニットが相対的に開いた状態、所定方向に所定角度回動した状態及び閉じた状態となるように構成された折り畳み型携帯電子機器に関する。
【背景技術】
【０００２】
従来から、携帯電話装置等、表示部を有するユニットと操作部を有するユニットとを有し、前記各ユニットが相対的に開いた状態、所定方向に回動した状態及び閉じた状態となるように構成された折り畳み型携帯電子機器が開発されている（例えば、特許文献１、２参照）。
図８は、従来の折り畳み型携帯電話装置を示す平面図で、前記ユニットを相互に開いた状態を示している。
【０００３】
図８において、上側ユニット１０と下側ユニット２０は、ヒンジ機構３０により接続されており、ヒンジ機構３０により、上側ユニット１０と下側ユニット２０の相対的な開閉と回動が自在に出来るように構成されている。
下側ユニット２０には、開閉を検出するための磁石２３が、上側ユニット１０には、その磁気を検出する磁気センサ（ホール素子）１３が設けられている。また上側ユニット１０には、回動状態を検出するための磁石１４が、下側ユニットにはその磁気を検出するための複数の磁気センサ（ホール素子）２４ａ〜２４ｃが設けられている。
【０００４】
装置を閉じた状態では、磁気センサ１３と磁石２３が近接するため、磁気センサ１３からの検出出力があり、これによってユニット１０、２０相互の閉状態を検出していた。
また回動状態については、上側ユニット１０が時計方向（ＣＷ）に９０度回動した場合、磁石１４も回動し磁気センサ２４ａの上に行き、磁気センサ２４ａからの検出出力が得られる。逆に反時計方向に９０度回動した場合、磁石１４は磁気センサ２４ｂの上に行き、磁気センサ２４ｂからの検出出力が得られる。このようにして各磁気センサ２４ａ〜２４ｃの出力を検出することで回動状態を検出していた。
【０００５】
しかし携帯電話装置内には、磁石以外にも磁気を帯びた電気部品があるため、磁気センサ１３が誤作動する恐れがあった。また、クレジットカードなどの磁気記録媒体を近づけると、磁石２３により悪影響を及ぼし、データが喪失する恐れがあった。
コレを解決する方法として、特許文献１に記載されているように、光学的に検出する方法を採用することによって、前述のような外部機器との間で生じる磁気的な作用の発生を防止することが考えられるが、単純に磁気センサを光学式センサに変更しただけでは、ユニット相互間の多様な位置関係を検出することはできないという問題がある。
【０００６】
【特許文献１】特開２００４−５６３８３号公報
【特許文献２】特開２００４−３５７２２号公報
【発明の開示】
【発明が解決しようとする課題】
【０００７】
本発明は、前記問題点に鑑み成されたもので、外部機器との間での磁気的な作用を発生させずに、ユニット間の多様な位置関係状態を検出できるようにすることを課題としている。
【課題を解決するための手段】
【０００８】
本発明によれば、第１ユニットと、第２ユニットとを有し、前記第１ユニットと第２ユニットが相対的に、開いた状態、所定方向に回動した状態及び閉じた状態の複数の位置関係状態をとるように構成された折り畳み型携帯電子機器において、前記第１ユニットと第２ユニットの一方のユニットに配設された１つの光学式センサと、他方のユニットに配設され、前記第１ユニットと第２ユニットの相対的な位置関係状態に応じて前記光学式センサとの位置関係が変化する複数の被検出部と、前記光学式センサが前記被検出部を検出して得られる検出信号に基づいて、前記第１ユニットと第２ユニットの前記位置関係状態を検出する状態検出手段とを備えることを特徴とする折り畳み型携帯電子機器が提供される。
状態検出手段は、一方のユニットに配設された１つの光学式センサが、他方のユニットに配設された被検出部を検出して得られる検出信号に基づいて、第１ユニットと第２ユニットの位置関係状態を検出する。
【０００９】
ここで、前記複数の被検出部には、開閉状態検出用の被検出部と、回動状態検出用の被検出部が含まれて成るように構成してもよい。
また、前記複数の被検出部には、更に、回動方向検出用の被検出部が含まれて成るように構成してもよい。
また、前記光学式センサは反射型フォトセンサによって構成されると共に、前記各被検出部は光を反射する反射部によって構成されて成り、前記複数の反射部には、反射効率が異なる複数の反射部が含まれて成るように構成してもよい。
【００１０】
また、前記第１ユニット及び第２ユニットを相対的に開閉自在及び回動自在に保持するヒンジ機構を有し、前記複数の反射部には、前記ヒンジ機構を中心として環状に順次配設された、第１反射効率の第１反射部、第２反射効率の第２反射部、第２反射効率の第３反射部、第１反射効率の第４反射部、第３反射効率の第５反射部、第３反射効率の第６反射部が含まれて成るように構成してもよい。
また、前記位置関係状態状態は、前記第１ユニットと前記第２ユニットが相対的に、開いた第１状態、開いて時計方向に所定角度回動した第２状態、開いて反時計方向に所定角度回動した第３状態、前記第１ユニットの内面側を外側に向けて閉じた第４状態、及び、前記第１ユニットの内面側を内側に向けて閉じた第５状態のいずれかであるように構成してもよい。
【００１１】
また、前記状態検出手段は、前記光学式センサが、最初に前記第１反射効率の被検出部を検出している状態になっているときは前記第１状態、前記第１状態の後に前記第２反射効率の被検出部を検出している状態になっているときは前記第２状態、前記第１状態の後に前記第３反射効率の被検出部を検出している状態になっているときは前記第３状態、前記第２状態から前記第２反射効率の被検出部を検出した後に前記第１反射効率の被検出部を検出している状態になっているとき及び前記第３状態から前記第３反射効率の被検出部を検出した後に前記第１反射効率の被検出部を検出している状態になっているときには前記第４状態、前記第２状態及び第３状態から前記第２反射効率の被検出部と前記第３反射効率の被検出部のいずれも検出せずに前記第１反射効率の被検出部を検出している状態になっているときには前記第１状態にあると検出するように構成してもよい。
【００１２】
また、前記第１ユニットの内面側に設けられた表示部と、前記第２ユニットの内面側に設けられた操作部と、前記状態検出手段が検出した前記第１ユニットと第２ユニットの相対的な回動状態に基づいて、前記表示部に表示する画像の向きを変える制御手段とを備えて成るように構成してもよい。
【発明の効果】
【００１３】
本発明によれば、外部機器との間での磁気的な作用を発生させずに、ユニット間の多様な位置関係状態を検出することが可能になる。
また、１つの光学式センサを用いているため、構成を簡単にすることが可能になる。また、小型化が可能になるという効果を奏する。
【発明を実施するための最良の形態】
【００１４】
図１〜図５は、本発明の第１の実施の形態に係る折り畳み型携帯電子機器の開いた状態を示す平面図であり、携帯電話装置の例を示している。
携帯電話装置は、第１ユニットとしての上側ユニット１００及び第２ユニットとしての下側ユニット２００を備えている。上側ユニット１００と下側ユニット２００は、相対的に、開いた状態、所定方向に回動した状態、閉じた状態となるように構成されている。
【００１５】
図１は、上側ユニット１００と下側ユニット２００を相対的に開いた状態（第１状態）を示す平面図、図２は上側ユニット１００と下側ユニット２００を相対的に閉じた状態（第５状態；上側ユニット１００の内面側と下側ユニット２００の内面側を対向させて閉じた状態）を示す平面図、図３は上側ユニット１００と下側ユニット２００を相対的に開いた状態でかつ上側ユニット１００を時計方向（ＣＷ）に所定角度（図３では９０度）回動させた状態（第２状態）を示す平面図、図４は図３とは逆に開いた状態でかつ反時計方向（ＣＣＷ）に所定角度（図４では９０度）回動させた状態（第３状態）を示す平面図、図５は図３、図４の状態からさらに上側ユニット１００を所定角度（図５では、図３、図４の状態から各々９０度）回動させた状態（第４状態）を示す平面図である。
【００１６】
図１〜図５において、上側ユニット１００と下側ユニット２００はヒンジ機構３００により接続されており、ヒンジ機構３００により、開閉と、開後の回動とが自在に出来るように保持されている。ヒンジ機構３００はクリック機構を備えており、前記クリック機構によって、上側ユニット１００と下側ユニット２００が所定角度位置（図１〜図５に示す位置）で保持されるように構成されている。
上側ユニット１００は、内面側に画像や文字等を表示する主表示部１０１を有し、外面側に時刻等を表示する副表示部１０４を有している。尚、副表示部１０４を備えないような構成にしても良い。
【００１７】
下側ユニット２００は、内面側に、複数のキースイッチを含む操作部２０１を有している。
上側ユニット１００と下側ユニット２００の相対的な開閉状態及び上側ユニット１００と下側ユニット２００の相対的な回動状態を検出するための手段として、光学式センサである反射型の受発光素子（フォトセンサ）２０３と、被検出部である複数の反射部１０３ａ〜１０３ｆとが用いられる。フォトセンサ２０３はフォトインタラプタ、フォトリフレクタ等とも呼ばれている。
【００１８】
受発光素子２０３は、反射部１０３ａ〜１０３ｆを検出したとき（例えば、受発光素子２０３が反射部１０３ａ〜１０３ｆに対向したとき）、反射部１０３ａ〜１０３ｆを検出したことを表す所定レベル以上の信号（検出信号）を出力する。反射部１０３ａ〜１０３ｆの反射効率は、後述するように、異なるよう構成されており、これにより、受発光素子２０３が反射部１０３ａ〜１０３ｆを検出したときに出力する検出信号のレベルが相違するように構成されている。
【００１９】
図１に示すように、下側ユニット２００の内部には受発光素子２０３が配置されている。一方、図２に示すように上側ユニット１００の裏面（閉じた状態で外側に現れる面）に、受発光素子２０３からの光を反射するための手段として、ヒンジ機構３００を中心として、反射部１０３ａ（第１反射部）、反射部１０３ｂ（第２反射部）、反射部１０３ｅ（第３反射部）、反射部１０３ｄ（第４反射部）、反射部１０３ｆ（第５反射部）、反射部１０３ｃ（第６反射部）が環状に順次配設されている。反射部１０３ａ〜１０３ｄは、図１、図３〜図５のそれぞれの装置状態において、受発光素子２０３に対向する位置に配置され、前記対向位置にある反射部が受発光素子２０３によって検出される。
【００２０】
また、反射部１０３ａ〜１０３ｆはそれぞれ反射効率が変えてあり、反射部１０３ａの反射効率（第１反射効率）を基準として、反射部１０３ｂ、ｃの反射効率はそれぞれ２倍以上の反射効率（第２反射効率）、半分以下（第３反射効率）、反射部１０３ｄは反射部１０３ａと同じ反射効率（第１反射効率）に、また反射部１０３ｅは反射部１０３ｂと同じ反射効率（第２反射効率）に、反射部１０３ｆは反射部１０３ｃと同じ反射効率（第３反射効率）に設定されている。
【００２１】
反射部１０３ａ〜１０３ｆの反射率を変えたり、反射部１０３ａ〜１０３ｆの面積を変える等の手段により反射効率を変えることができる。反射部１０３ａ〜１０３ｆは反射板などの別部材によっても良いが、コスト削減の点からも上側ユニット１００への印刷、塗装等による加飾で反射部１０３ａ〜１０３ｆを設けた方が望ましい。また、反射部１０３ａ〜１０３ｆを下側ユニット２００に、受発光素子２０３を上側ユニット１００に設けても構わない。回動のみの場合も実施可能である。
複数の反射部１０３ａ〜１０３ｆの反射効率を全て異なるように構成することも可能であるが、複数の反射部を同一反射効率に設定していいるため、構成をより簡単にすることが可能になる。
【００２２】
図７は、図１〜図５に示した携帯電話装置のブロック図であり、図１〜図５と同一部分には同一符号を付している。
図７において、携帯電話装置は、アンテナ７１、アンテナ７１を介して音声やデータ等の信号を送受信する送受信部７２、マイクやスピーカを有し音声の入出力を行う送受話部７３、着信等を報知する報知部７４、外部に検出用光を出力する発光部及び外部からの前記検出用光を検出する受光部を有する受発光素子２０３、受発光素子２０３からの信号に基づいて上側ユニット１００及び下側ユニット２００の相対的な位置関係状態を検出する状態検出部７６、携帯電話装置の各構成要素の制御等を行う制御部７７、表示部７５、及び、操作部２０１を備えている。表示部７５は、主表示部１０１及び副表示部１０４によって構成されている。尚、状態検出部７６は状態検出手段を構成し、制御部７７は制御手段を構成している。
【００２３】
以上のように構成された本実施の形態に係る携帯電話装置の動作について説明する。
図１のように、上側ユニット１００と下側ユニット２００が相対的に開いた状態の場合、受発光素子２０３の発光部から発せられた光は反射部１０３ａにより反射され、受発光素子２０３の受光部に戻り、所定レベル以上の信号である検出信号として検出される。即ち、受発光素子が、最初に、第１反射効率の反射部１０３を検出している状態になっているときは開状態（第１状態）と検出する。
【００２４】
先ず、動作を概略的に説明すると、図２のように装置が閉じた状態（第５状態）以外は、受発光素子２０３に対向する位置に反射部１０３ａ〜１０３ｄのいずれかが位置するため、受発光素子２０３からは、反射部を検出したことを表す所定レベル以上の検出信号が得られる。しかし、図２の状態では、受発光素子２０３からは、所定レベル以上の検出信号が得られない。このことから、装置が閉状態であることが検出できる。
【００２５】
また、回動状態の検出は、後述するように、図１の状態での受発光素子２０３からの出力信号に対して大きいか、小さいか、あるいは同じかで検出できる。また、図３、図４の状態から図５の状態（第４状態）へ回動する場合は、反射部１０３ｅあるいは反射部１０３ｆを横切るため、受発光素子２０３から一瞬、所定レベル以上の検出信号が検出されるが、図３の状態（第２状態）、図４の状態（第３状態）から図１の状態へ回動する場合は、反射部１０３ｅ、１０３ｆのいずれも横切らないため、この一瞬の検出信号は検出されない。これにより、図３、図４からどちらに回動したかを検出できる。
【００２６】
次に、動作を詳細に説明すると、図２のように装置が閉じた状態の場合、受発光素子２０３に対向する位置には、反射部１０３ａ〜１０３ｆのいずれも位置しないため、受発光素子２０３からは検出信号は得られない。
また、図３の場合、受発光素子２０３の発光部から発せられた光は反射部１０３ｂにより反射され、受発光素子２０３の受光部に戻り検出信号が得られる。ここで、反射部１０３ｂの反射効率は反射部１０３ａの２倍以上に設定されているため、受発光素子２０３が反射部１０３ａに対向したときに得られる検出信号Ａよりも大きなレベルの検出信号が得られる。
【００２７】
図４の場合は、受発光素子２０３の発光部から発せられた光は反射部１０３ｃにより反射され、受発光素子２０３の受光部に戻り、検出信号が得られる。ここで反射部１０３ｃの反射効率は反射部１０３ａの半分以下に設定されているため、前記検出信号Ａよりも小さなレベルの検出信号が得られる。
また、図５の場合、受発光素子２０３の発光部から発せられた光は反射部１０３ｄにより反射され、受発光素子２０３の受光部に戻り、検出信号が得られる。ここで反射部１０３ｄの反射効率は反射部１０３ａと同じに設定されているため、前記検出信号Ａと同じレベルの検出信号が得られる。
【００２８】
図３、図４から図５へ回動する場合は、反射部１０３ｅ、１０３ｆを横切るため、回動途中で検出信号が検出される。
このように、状態検出部７６が、受発光素子２０３からの検出信号の有無の検出、検出信号のレベルの比較演算、出力状態を検出することにより、折り畳み型携帯電話装置の開閉状態の検出を行うことができ、また回動状態の検出もできる。
【００２９】
即ち、状態検出部７６は、受発光素子２０３が、最初に第１反射効率の反射部を検出している状態になっているときは前記第１状態、前記第１状態の後に第２反射効率の反射部を検出している状態になっているときは前記第２状態、前記第１状態の後に第３反射効率の反射部を検出している状態になっているときは前記第３状態、前記第２状態から第２反射効率の反射部を検出した後に第１反射効率の反射部を検出している状態になっているとき及び前記第３状態から第３反射効率の反射部を検出した後に第１反射効率の反射部を検出している状態になっているときには前記第４状態、前記第２状態及び第３状態から第２反射効率の反射部と第３反射効率の反射部のいずれも検出せずに第１反射効率の反射部を検出している状態になっているときには前記第１状態、検出信号が得られていない状態のときは前記第５状態にあると検出する。これにより、上側ユニット１００と下側ユニット２００の相対的な位置関係状態の検出が可能になる。
【００３０】
しあたがって、本実施の形態によれば、開閉と開後の回動とが自在な折り畳み型携帯電子機器において、上側ユニット１００と下側ユニット２００の相対的な位置関係状態を検出する場合、磁気による検出ではないため、磁気を帯びた電気部品による誤作動・誤検出の恐れがないという効果がある。
また、単一の受発光部２０３と複数（本実施の形態では６個）の反射部１０３ａ〜１０３ｆとを用いた構成であるため、部品点数の削減、組立工数の削減によりコストダウンが可能になる。また、実装効率が上がり、装置の小型化が可能になるという効果を奏する。
【００３１】
また、本実施の形態によれば、外部の磁気記録媒体へ悪影響を与えるような磁石や、外観を損なうような突起を設けることなく開閉検出を可能にし、またその同じ検出手段によって、上側ユニット１００と下側ユニット２００の相対的な回動状態も検出可能になる。
制御部７７は、状態検出部７６で検出した上側ユニット１００と下側ユニット２００の相対的な位置関係状態に応じて、表示部１０１で表示する画像の向きを変えるように表示部１０１を制御する。これにより、表示部１０１には、上側ユニット１００と下側ユニット２００の相対的な回動位置状態に応じて、使用者にとって見やすい向きに変えた表示が行われる。
【００３２】
次に、本発明の第２の実施の形態について説明する。
図６は、本発明の第２の実施の形態に係る折り畳み型携帯電子機器の開いた状態を示す平面図であり、携帯電話装置の例を示している。尚、図６において、図１〜図５と同一機能を有する部分には同一符号を付している。また、ブロック図は前記第１の実施の形態と同一である。
図６において、基本的構成は第１の実施の形態と同じであるが、受発光素子２０３を上側ユニット１００の外面側に設け、反射部１０３ａ〜ｆを下側ユニット２００の内面側にに備えたものである。
本第２の実施の形態においても、前記第１の実施の形態と同様の効果を奏することが可能になる。
【００３３】
尚、前記実施の形態は、携帯電話装置の例で説明したが、ＰＨＳ、ＰＤＡをはじめとして、複数のユニット（例えば、表示部を有するユニットと操作部を有するユニット）を有し、前記両ユニットが相対的に開いた状態、所定方向に回動した状態及び閉じた状態となるように構成して使用可能な各種の折り畳み型携帯電子機器に適用可能である。
【産業上の利用可能性】
【００３４】
携帯電話装置、ＰＨＳ、ＰＤＡ等の各種折り畳み型携帯電子機器に適用可能である。
【図面の簡単な説明】
【００３５】
【図１】本発明の第１の実施の形態に係る折り畳み型携帯電子機器の平面図で、開状態を示す図である。
【図２】本発明の第１の実施の形態に係る折り畳み型携帯電子機器の平面図で、閉状態を示す図である。
【図３】本発明の第１の実施の形態に係る折り畳み型携帯電子機器の平面図で、開いた状態でかつ上側ユニットを時計方向に９０度回動させた状態を示す図である。
【図４】本発明の第１の実施の形態に係る折り畳み型携帯電子機器の平面図で、開いた状態でかつ上側ユニットを反時計方向に９０度回動させた状態を示す図である。
【図５】本発明の第１の実施の形態に係る折り畳み型携帯電子機器の平面図で、開いた状態でかつ上側ユニットを１８０度回動させた状態を示す図である。
【図６】本発明の第２の実施の形態に係る折り畳み型携帯電子機器の平面図で、開状態を示す図である。
【図７】本発明の実施の形態に係る折り畳み型携帯電子機器のブロック図である。
【図８】従来の折り畳み型携帯電話装置の平面図で、開状態を示す図である。
【符号の説明】
【００３６】
１００・・・第１ユニットを構成する上側ユニット
７５、１０１、１０４・・・表示部
１０２・・・スピーカ
１０３ａ〜１０３ｆ・・・反射部
２００・・・第２ユニットを構成する下側ユニット
２０１・・・操作部
２０２・・・マイク
２０３・・・光学式センサを構成する受発光素子
３００・・・ヒンジ機構
７１・・・アンテナ
７２・・・送受信部
７３・・・送受話部
７４・・・報知部
７６・・・状態検出手段を構成する状態検出部
７７・・・制御手段を構成する制御部
【図１】
2007235722.tif 000003
【図２】
2007235722.tif 000004
【図３】
2007235722.tif 000005
【図４】
2007235722.tif 000006
【図５】
2007235722.tif 000007
【図６】
2007235722.tif 000008
【図７】
2007235722.tif 000009
【図８】
2007235722.tif 000010